(57)【要約】【課題】  害虫や農機具等、果実をキズつける様々な外的要因や農薬から果実を保護しつつ、果実の充分な生育を促し、果実への取付け及び取外しが容易で繰返し使用可能で経済性の高い果菜類の保護カバーを提供すること。【解決手段】  栽培中の果実を覆う果菜類の保護カバーであって、薄いシートによって果実を内包できる一定の中空容器形状に成形され、果柄を通す開口部を有し、該開口部を分けて略均等に２つに分かれることを特徴とする果菜類の保護カバーとする。【選択図】  図１
2008193931.tif 000002
【特許請求の範囲】
【請求項１】
栽培中の果実を覆う果菜類の保護カバーであって、
薄いシートによって果実を内包できる一定の中空容器形状に成形され、果柄を通す開口部を有し、該開口部を分けて略均等に２つに分かれることを特徴とする果菜類の保護カバー。
【請求項２】
前記中空容器形状は、果柄側の略円筒形部分と先端側の略半球部分とからなり、
前記略円筒形部分において、果柄側は、果柄を通す開口部を残し、該略円筒形の軸と直角方向に円盤状に塞がれ、
前記中空容器形状は、前記軸を通る面で略均等に２つに分かれ、その分けられる断面部分の少なくとも一部が互いに嵌合可能になっていることを特徴とする請求項１記載の果菜類の保護カバー。
【請求項３】
前記断面部分であって、前記略円筒形部分における軸方向中央付近で対峙する２箇所において、一方には、２つに分けられた前記中空容器形状を接続し、且つ開閉自在なヒンジ部を備え、他方には、分けられた２つの該中空容器形状を着脱するための嵌合可能な嵌合部を備えていることを特徴とする請求項２記載の果菜類の保護カバー。
【請求項４】
前記断面部分において、前記嵌合可能な部分及び前記ヒンジ部を除き、２つに分けられるいずれの側にも、略円筒形又は略半球を形成している面から略直角に外側に突出する面を備え、閉鎖時にこれらの面が互いに接合することを特徴とする請求項２又は３記載の果菜類の保護カバー。
【請求項５】
前記略半球部分は、その先端部に排水孔を備えていることを特徴とする請求項２乃至４いずれか記載の果菜類の保護カバー。
【請求項６】
前記シートは、ポリエチレンテレフタレート（ＰＥＴ）、ポリプロピレン（ＰＰ）、ポリカーボネート（ＰＣ）及びポリスチレン（ＰＳ）のうちのいずれかからなることを特徴とする請求項１乃至５いずれか記載の果菜類の保護カバー。
【発明の詳細な説明】
【技術分野】
【０００１】
本発明は、果菜類の保護カバーに関し、より詳しくは、水ナス、トマト、きゅうり等の果菜類や果物の栽培時に果実を保護する果菜類の保護カバーに関するものである。
【背景技術】
【０００２】
農作物については無農薬や低農薬が好まれる傾向にあるが、低農薬であっても農薬を使用することに変わりはなく、現実問題として農薬なしに農作物を充分に生育させることは困難である。特に、果実を食用とする野菜である果菜類や果物においては、農薬を散布すると、地中にある根菜類と異なり、その果実にも直接農薬が付着してしまう。
この農薬には展着剤が添加されていることが多く、果実を水洗浄したとしても、農薬を除去することは困難である。このような農薬には安全性の高いものが用いられ、安全基準を満たしているとしても、人体への影響が皆無ではなく、そのような農薬が付着した果実を食べることに抵抗を覚える消費者は少なくない。果実には農薬が直接付着しないことが望まれている。
【０００３】
また、果菜類や果物を栽培する際、その果実は、鳥や虫、栽培時の人の手や農機具、風による葉擦れ等、様々な要因によってキズつけられることが多い。キズが付いた果実は、商品価値が大幅に低下する。
そこで、果物の場合には、従来から害虫防除やキズ防止対策として、その果実を紙製の袋やポリ袋で覆うことが行われている。
【０００４】
しかしながら、紙製の袋は、雨に弱くて一度しか使用できず、また、紙が果実表面に接触してキズついたり、覆われた紙の外側から鳥につつかれてキズついたりすることがある。
また、ポリ袋は、果実にはり付いてしまい、果実表面にしわができることにもなる。これらの袋ではキズを完全に防ぐことはできない。
さらに果菜類の場合には、一般に果物と異なり、その生育には太陽光が不可欠であり、不透明な紙製では、光の吸収が不充分となって果実の生育や色付きに支障をきたす。
【０００５】
このような光の問題に対しては、例えば桃等の果実用袋として、筒状の半透明性の内袋と、有底で遮光性のある外袋を一部分で重ね合わせ、外袋より露出した内袋の開口上縁部に枝を挿入する切り欠け部を設けた二重果実袋が提案されている（下記特許文献１参照）。
この二重果実袋において、半透明性の内袋の部分が大きければ、光を吸収することができ、また、果菜類用として外袋も半透明性や透明にすれば、充分に光を吸収することが可能となる。
【０００６】
しかしながら、商品価値を左右して最も対策を必要とするキズ防止は、依然として不充分である。
【０００７】
【特許文献１】特開２００１−８５６１号公報
【発明の開示】
【発明が解決しようとする課題】
【０００８】
本発明は、上述したような従来技術の問題点を解決すべくなされたものであって、害虫や農機具等、果実をキズつける様々な外的要因や農薬から果実を保護しつつ、果実の充分な生育を促し、果実への取付け及び取外しが容易で繰返し使用可能で経済性の高い果菜類の保護カバーを提供するものである。
【課題を解決するための手段】
【０００９】
請求項１に係る発明は、栽培中の果実を覆う果菜類の保護カバーであって、薄いシートによって果実を内包できる一定の中空容器形状に成形され、果柄を通す開口部を有し、該開口部を分けて略均等に２つに分かれることを特徴とする果菜類の保護カバーに関する。
【００１０】
請求項２に係る発明は、前記中空容器形状は、果柄側の略円筒形部分と先端側の略半球部分とからなり、前記略円筒形部分において、果柄側は、果柄を通す開口部を残し、該略円筒形の軸と直角方向に円盤状に塞がれ、前記中空容器形状は、前記軸を通る面で略均等に２つに分かれ、その分けられる断面部分の少なくとも一部が互いに嵌合可能になっていることを特徴とする請求項１記載の果菜類の保護カバーに関する。
【００１１】
請求項３に係る発明は、前記断面部分であって、前記略円筒形部分における軸方向中央付近で対峙する２箇所において、一方には、２つに分けられた前記中空容器形状を接続し、且つ開閉自在なヒンジ部を備え、他方には、分けられた２つの該中空容器形状を着脱するための嵌合可能な嵌合部を備えていることを特徴とする請求項２記載の果菜類の保護カバーに関する。
【００１２】
請求項４に係る発明は、前記断面部分において、前記嵌合可能な部分及び前記ヒンジ部を除き、２つに分けられるいずれの側にも、略円筒形又は略半球を形成している面から略直角に外側に突出する面を備え、閉鎖時にこれらの面が互いに接合することを特徴とする請求項２又は３記載の果菜類の保護カバーに関する。
【００１３】
請求項５に係る発明は、前記略半球部分は、その先端部に排水孔を備えていることを特徴とする請求項２乃至４いずれか記載の果菜類の保護カバーに関する。
【００１４】
請求項６に係る発明は、前記シートは、ポリエチレンテレフタレート（ＰＥＴ）、ポリプロピレン（ＰＰ）、ポリカーボネート（ＰＣ）及びポリスチレン（ＰＳ）のうちのいずれかからなることを特徴とする請求項１乃至４いずれか記載の果菜類の保護カバーに関する。
【発明の効果】
【００１５】
請求項１に係る発明によれば、薄いシートによって果実を内包できる一定の中空容器形状に成形され、果柄を通す開口部を有するので、軽く果柄及びヘタの部分で支持され、シート自体が果実に接触してキズつくこともなく、害虫等は侵入できず、その他農機具や葉擦れ等の外的要因によって果実がキズつくことを防止し、農薬が果実に直接かかることも防止することができるとともに、適度に密封されて生育が促される。
また、中空容器形状は開口部を分けて略均等に２つに分かれるので、果実への取付け及び取外しが容易で、繰り返し使用することが可能で経済性の高い保護カバーとなる。
【００１６】
請求項２に係る発明によれば、前記中空容器形状は、果柄側の略円筒形部分と先端側の略半球部分とからなり、略円筒形部分において、果柄側は、果柄を通す開口部を残し、略円筒形の軸と直角方向に円盤状に塞がれた形状であることによって、果実に合わせて成形することができ、内側に角がなく、内包する果実と接触しても果実をキズつけることがない。
また、前記中空容器形状は、前記軸を通る面で略均等に２つに分かれ、その分けられる断面部分の少なくとも一部が互いに嵌合可能になっているので、栽培中の果実への取付けや、収穫時期の果実からの取外しが極めて容易で、繰り返し使用にも適している。
【００１７】
請求項３に係る発明によれば、断面部分であって、前記略円筒形部分における軸方向中央付近で対峙する２箇所において、一方には、２つに分けられた前記中空容器形状を接続し、且つ開閉自在なヒンジ部を備え、他方には、分けられた２つの該中空容器形状を着脱するための嵌合可能な嵌合部を備えることによって、保護カバーの開放時に右側部と左側部がバラバラにならず、保護カバーの保持、果実への装着及び嵌合をより容易に行うことが可能である。
【００１８】
請求項４に係る発明によれば、前記断面部分において、前記嵌合可能な部分及び前記ヒンジ部を除き、２つに分けられるいずれの側にも、略円筒形又は略半球を形成している面から略直角に外側に突出する面を備え、閉鎖時にこれらの面が互いに接合するので、２つに分けられる部分の閉鎖時に、水や農薬等の浸入を防止することができる。
【００１９】
請求項５に係る発明によれば、前記略半球部分は、その先端部に排水孔を備えているので、保護カバー内に浸入した水を排水することができるだけでなく、保護カバー内が高湿度になるのを防止することができる。この排水孔の大きさや設ける位置及び個数によって、水を効率よく排水することができるとともに、保護カバー内の湿度を果実に適したものとすることができ、果実の生育をより促進することが可能となる。
【００２０】
請求項６に係る発明によれば、前記シートは、ポリエチレンテレフタレート（ＰＥＴ）、ポリプロピレン（ＰＰ）、ポリカーボネート（ＰＣ）及びポリスチレン（ＰＳ）のうちのいずれかからなるので、成形が容易で、耐久性もあり、比較的安価に作成することが可能である。
【発明を実施するための最良の形態】
【００２１】
以下、本発明に係る果菜類の保護カバー（以下、単に「保護カバー」とも称する）の好適な実施形態について、図面を参照しつつ説明する。
図１は、本発明に係る果菜類の保護カバーの実施形態の一例を斜め上方から見た斜視図である。図２は、図１の保護カバーを開いた状態の外側を斜め下方から見た斜視図である。図３は、図１の保護カバーを開いた状態の内側を示し、（ａ）は正面図、（ｂ）はＡ−Ａ断面図である。
【００２２】
保護カバー（１）は、殆ど透明に近い半透明の薄いシートによって、果柄側の略円筒形部分（２）と先端側の略半球部分（３）とからなる中空容器形状に成形されている。この中空容器形状の保護カバー（１）は、栽培中の果実を覆って保護するものであり、その形状は、覆って保護する果実に合わせて成形されることになる。従って、図示例の形状に限定されるものではないが、少なくとも果実を内包できる一定の中空容器形状であることが必要である。即ち、本実施形態の保護カバーは、薄いシートによって成形されているため、僅かにへこむようなことがあっても、紙製の袋やポリ袋等のように形状が変わってしまうことなく、一定の中空容器形状を維持しているものであることが要求される。よって、本実施形態の保護カバーは、少なくとも、形状を変えずに自立可能な程度の剛性を備えている。
図示例は、卵形のような水ナスに使用する保護カバー（１）である。その他の果菜類の場合、例えば、トマトであれば、略円筒形部分（２）を短く設定し、キュウリであれば、略円筒形部分（２）を長くするとともに細く設定すればよい。
【００２３】
略円筒形部分（２）において、果柄側は、果柄を通す開口部（４）を残し、この略円筒形の軸（５）と直角方向に円盤状に塞がれている。図示例では、円盤状に塞がれた果柄側部分は、略円筒形部分（２）からなだらかなＲ形状で連続して成形されている。
この中空容器形状の保護カバー（１）は、軸（５）を通る面で略均等に２つの部分、右側部（６）と左側部（７）とに分かれるようになっている。
右側部（６）と左側部（７）に分けられる断面部分であって、略円筒形部分（２）における軸方向中央付近で対峙する２箇所のうち、一方に、右側部（６）と左側部（７）を接続してこれらの部分を開閉自在にしているヒンジ部（８）を有する。他方には、右側部（６）と左側部（７）を着脱可能な嵌合部（９）を有する。
【００２４】
保護カバー（１）のサイズとしては、例えば水ナスの場合、略円筒形部分（２）は軸方向長さが約８０ｍｍ、略半球部分（３）は半径約５０ｍｍに設定すれば、標準的な水ナスの大きさより一回り大きなサイズとなる。
なお、前記円盤状に塞がれた果柄側部分は、略円筒形部分（２）からなだらかなＲ形状に成形することなく、略円筒形部分（２）の軸と直角に角をなすように成形したとしても、保護カバー内で果実が角でキズつくことはない。ただし、この保護カバーを果実に装着する際等に、付近の他の果実をキズつける恐れがあるので、保護カバーには角がないことが好ましい。
【００２５】
図４は、ヒンジ部を拡大して示す部分拡大図である。
ヒンジ部（８）は、断面が半円状の半円部（１１）とその両端に右側部（６）又は左側部（７）をつなぐ連結部（１２）とで構成される。右側部（６）及び左側部（７）は、夫々つながっている連結部（１２）とのつなぎ目部分で約９０度回動し、連結部（１２）は半円部（１１）とのつなぎ目部分で約９０度回動し、さらに半円部（１１）の半径が小さくなるように円が若干つぶれることによって、右側部（６）と左側部（７）が接合する。このように半円部（１１）と連結部（１２）がヒンジとなって、右側部（６）及び左側部（７）を開閉自在にしている。
このヒンジ部（８）のサイズとしては、上述の水ナスの場合の保護カバー（１）のサイズ例において、半円部（１１）は半径約３ｍｍ、連結部（１２）は各々約２ｍｍに設定することができる。
【００２６】
図５（ａ）は図３のｅ部分の拡大図、（ｂ）は図３のｆ部分の拡大図である。
ｅ部分とｆ部分は、右側部（６）と左側部（７）の閉鎖時に互いに接合する部分である。図示例では、開口部（４）は、略円筒形部分（２）の円盤状に塞がれた果柄側部分（１５）からなだらかなＲ形状で連続し、果柄側部分（１５）と略直角方向に突出して形成されている。このＲ形状によって、果柄を通しても、果柄やヘタ等が角でキズつくことがない。
ｅ部分とｆ部分との接合状態については、図６を参照して説明する。
【００２７】
図６（ａ）は図３のＢ−Ｂ断面図、（ｂ）は図３のＣ−Ｃ断面図である。
Ｂ−Ｂ断面図のように、左側部（７）の略半球部分（３）において、略半球を形成している面から略直角に外側方向に突出する凸面（１７）が、右側部（６）との接合面である。また、Ｃ−Ｃ断面図のように、右側部（６）の略半球部分（３）において、略半球を形成している面から略直角に外側方向に突出する中間凸面（１８）が、左側部（７）の凸面（１７）との接合面である。
【００２８】
また、中間凸面（１８）の外側方向には、当該中間凸面（１８）と直角方向、且つ左側部（７）方向へ延びる中間面（１９）を備えている。さらに、中間面（１９）の中間凸面（１８）とは反対側に、この中間面（１９）と略直角に外側方向に突出する外側凸面（２０）を備えている。
右側部（６）と左側部（７）の接合部分のサイズとしては、例えば上述の水ナスの場合の保護カバー（１）のサイズ例において、約３ｍｍ厚のシートで、凸面（１７）の幅を約１ｍｍ、中間凸面（１８）の幅を約１．５ｍｍ、中間面（１９）の幅（高さ）を約５ｍｍ、外側凸面（２０）の幅を約１．５ｍｍに設定することができる。
【００２９】
このように接合部分を構成すれば、右側部（６）と左側部（７）の閉鎖時に、凸面（１７）と中間凸面（１８）が接合し、水や農薬等の浸入を防止することができる。また、中間面（１９）及び外側凸面（２０）を把持して右側部（６）と左側部（７）を開きやすくすることができるとともに、中間面（１９）は接合部分から保護カバー（１）の内側への雨風の侵入を防止することが可能である。
ｅ部分の断面はＢ−Ｂ断面と同じで、ｆ部分の断面はＣ−Ｃ断面と同じであるため、ｅ部分とｆ部分は、Ｂ−Ｂ断面とＣ−Ｃ断面の接合状態と全く同じ接合状態となる。
ｅ部分及びｆ部分に限らず、右側部（６）と左側部（７）は、図３（ａ）に示す断面部分において、開口部（４）、ヒンジ部（８）及び嵌合部（９）を除く全ての部分で、上記接合状態で接合する。
【００３０】
図７は、図３（ｂ）の嵌合部の嵌合状態を拡大して示す部分拡大断面図である。
左側部（７）の上に、右側部（６）を被せるように嵌合している。
左側部（７）に設けられた嵌合部（９）は、左側部（７）の略円筒形部分（２）において、端部付近の略円筒形を形成している面から外側方向に突出した半円凸部（２１）が形成されている。この半円凸部（２１）は、断面形状半円形の円筒形状で、その軸方向が軸（５）方向に沿っている。そして、この半円凸部（２１）が形成された略円筒形部分（２）の端部は、Ｂ−Ｂ断面部と全く同様に、略円筒形を形成している面から略直角に外側方向に突出する凸面（１７）が形成されている。
【００３１】
従って、左側部（７）に設けられた嵌合部（９）は、半円凸部（２１）が形成されていることを除いてＢ−Ｂ断面部と同様に形成されている。
右側部（６）に設けられた嵌合部（９）は、右側部（６）の略円筒形部分（２）において、端部の略円筒形を形成している面から略直角に外側方向に突出する第一凸面（２２）が形成され、その第一凸面（２２）の外側方向端部から直角方向且つ右側部（６）と反対側方向へ伸びる中間面（２３）を備えている。さらに、中間面（２３）の先端部から略円筒形部分（２）の内側方向に陥没した半円凹部（２４）が形成されている。この半円凹部（２４）は、断面形状半円形の円筒形状で、その軸方向が軸（５）方向に沿い、その端部は略円筒形部分（２）の外側方向に突出した第二凸面（２５）が形成されている。
【００３２】
このように形成されている右側部（６）に設けられた嵌合部（９）は、右側部（６）と左側部（７）を閉じるとき、半円凹部（２４）の凸側面が、左側部（７）の半円凸部（２１）と向合って該半円凸部（２１）を越えて止まり、半円凸部（２１）と嵌合する状態となる。
このとき、左側部（７）の凸面（１７）と右側部（６）の第一凸面（２２）とが接合し、嵌合部（９）において左側部（７）と右側部（６）が隙間なく閉じられる。
【００３３】
図８は、果菜類の保護カバーの実施形態における他の例を示す正面図である。
他の例の保護カバー（３１）は、ヒンジ部（８）及び嵌合部（９）を嵌合部（３２）に変えた以外は、保護カバー（１）と全く同様の構成である。
保護カバー（３１）は、ヒンジ部（８）を有しないので、右側部（６）と左側部（７）を完全に分離することができる。
図示例では、嵌合部（３２）は、右側部（６）に設けられた突起部（３３）と凸部（３２）とで構成され、突起部（３３）の凹部に凸部（３２）が嵌め込まれるとき、右側部（６）と左側部（７）は、各々中間凸面（１８）と凸面（１７）が接合する。
【００３４】
以上のように、本発明に係る保護カバー（１，３２）は、薄いシートによって果実を内包できる一定の中空容器形状に成形され、果柄を通す開口部（４）を有するので、軽く果柄及びヘタの部分で支持され、シート自体が果実に接触してキズつくこともなく、害虫等は侵入できず、その他農機具や葉擦れ等の外的要因によって果実がキズつくことを防止し、農薬が果実に直接かかることも防止することができるとともに、適度に密封されて生育が促される。
また、中空容器形状は開口部（４）を分けて略均等に２つに分かれるので、果実への取付け及び取外しが容易で、繰り返し使用することが可能である。
そして、前記中空容器形状は、果柄側の略円筒形部分（２）と先端側の略半球部分（３）とからなり、略円筒形部分（２）において、果柄側は、果柄を通す開口部（４）を残し、略円筒形の軸（５）と直角方向に円盤状に塞がれた形状であることによって、果実に合わせて成形することができ、内側に角がなく、内包する果実と接触しても果実をキズつけることがない。
【００３５】
また、前記中空容器形状は、軸（５）を通る面で略均等に２つに分かれ、その分けられる断面部分の少なくとも一部が互いに嵌合可能になっているので、栽培中の果実に取付けたり、収穫時期の果実から取外したりすることが極めて容易で、繰り返し使用にも適している。
即ち、保護カバー（１）のように、略円筒形部分（２）における軸方向中央付近で対峙する２箇所のうち、一方に、２つに分けられた中空容器形状を接続するヒンジ部（８）を備え、他方に嵌合部（９）を備えた構成としてもよいし、保護カバー（３１）のように、右側部（６）と左側部（７）に分けられる断面部分における４隅に嵌合部（３２）を備えてもよい。これらのように断面部分の少なくとも一部が互いに嵌合可能になっていれば、保護カバー（１，３２）において、右側部（６）と左側部（７）が開閉自在となり、栽培中の果実に取付けたり、収穫時期の果実から取外したりすることが容易で、繰り返し使用することが可能である。
【００３６】
なお、保護カバー（１）のようにヒンジ部（８）及び嵌合部（９）を備える場合には、保護カバー（１）の開放時に右側部（６）と左側部（７）がバラバラにならず、保護カバー（１）の保持、果実への装着及び嵌合をより容易に行うことが可能である。
【００３７】
以上のように構成される保護カバー（１，３２）の素材としては、例えば合成樹脂、いわゆるプラスチックを用いることができ、中空容器形状に成形する上では熱可塑性樹脂が好ましい。具体的には、ポリエチレンテレフタレート（ＰＥＴ）、ポリプロピレン（ＰＰ）、ポリカーボネート（ＰＣ）、ポリスチレン（ＰＳ）等を例示することができる。これらは、成形の容易さ、耐久性、費用等の点で好適である。
これらを用いた成形方法としては、真空成形や射出成形等を例示することができる。
保護カバー（１，３２）は、一般的に果菜類に用いる場合には、果実が太陽光等を吸収して着色されるために、透明であることが好ましいが、果実によっては露光の度合いを加減する必要があるので、半透明や着色したものとすることも可能である。
【００３８】
図９は、栽培中の水ナスに保護カバーを装着した状態を示す模式図である。
図示例の保護カバーは、保護カバー（１）の構成において、略半球部分（３）の先端部に排水孔（３５）が設けられている。
保護カバー（１）は、例えば果実が未だ小さいときから収穫するまでその果実に装着しておくため、収穫適期の果実の大きさより一回り大きい程度のサイズである。図示例は、収穫適期の果実に保護カバー（１）を装着した状態であり、開口部（４）には水ナスの果柄が通っているが、開口部（４）と果柄との間にはわずかな隙間ができ、散布された水や雨水が保護カバー（１）内に浸入する。この隙間は、未だ小さい果実に保護カバー（１）が装着された状態では、より大きく、水等の浸入も多くなる。
【００３９】
排水孔（３５）は、保護カバー（１）内に浸入した水を排水することができるだけでなく、保護カバー（１）内が高湿度になるのを防止することができる。この排水孔（３５）の大きさや設ける位置及び個数によって、水を効率よく排水することができるとともに、保護カバー（１）内の湿度を果実に適したものとすることができ、果実の生育を促すことが可能となる。
即ち、湿度が低い方が適した果実であれば、保護カバー（１）の軸（５）方向の中央又は果柄側よりに排水孔（３５）を設ければ、保護カバー（１）内の風通しがよくなり、湿度を下げることができる。
湿度は、果皮の硬さに影響を及ぼし、水ナス等は、乾燥によって果皮が硬くなり、商品価値が低下するので、湿度調節機能をも担う排水孔（３５）の設け方によって、湿度等を調整して商品価値の高い果実を生育することも可能となる。
【００４０】
また、保護カバー（１，３２）は、上述のように装着する果実の形状に合わせ、その収穫適期の大きさより一回り大きい程度のサイズに設定されており、図９に示すように、果実に保護カバー（１）を装着した状態のまま、開口部（４）外側で果柄を切断すれば、果実を保護カバー（１）内に入れたまま収穫し、出荷することも可能である。
果実は、保護カバー（１，３２）内に角がないので、多少保護カバー（１，３２）内で転がすようなことをしてもキズつかず、果実より一回り大きいだけなので、嵩張ることもない。特に収穫時において保護カバー（１）内で果実は保護され、人の手や農機具、葉擦れ等によってキズつくことを防止することができる。
【００４１】
以上のような本発明に係る果菜類の保護カバーは、果実を食用とする野菜である果菜類のみでなく、当然、果物にも全く同様にして適用可能である。例えばりんご、梨、メロン、スイカ、桃のような略球形の果実から、ぶどうの房のような全く球形ではない果物の果実に対しても、上述の実施形態として例示した保護カバーの形状をアレンジして用いることが可能である。
図１０は、保護カバーを装着した状態で出荷される梨を示す状態図である。
栽培状態において保護カバー（３７）が装着された梨は、開口部（４）外側でその果柄が切断されて収穫される。保護カバー（３７）に内包された状態で収穫された梨は、そのまま箱に詰められて出荷される。
このように箱の中で、さらに保護カバー（３７）に内包されていることにより、箱に詰める緩衝材などが少なく又はなくても、果実にキズがつくことなく搬送することが可能となる。
【産業上の利用可能性】
【００４２】
本発明は、栽培中の果菜類や果物の果実に対して好適に利用されるものである。
【図面の簡単な説明】
【００４３】
【図１】本発明に係る果菜類の保護カバーの実施形態の一例を斜め上方から見た斜視図である。
【図２】図１の保護カバーを開いた状態の外側を斜め下方から見た斜視図である。
【図３】図１の保護カバーを開いた状態の内側を示し、（ａ）は正面図、（ｂ）はＡ−Ａ断面図である。
【図４】ヒンジ部を拡大して示す部分拡大図である。
【図５】（ａ）は図３のｅ部分の拡大図、（ｂ）は図３のｆ部分の拡大図である。
【図６】（ａ）は図３のＢ−Ｂ断面図、（ｂ）は図３のＣ−Ｃ断面図である。
【図７】図３（ｂ）の嵌合部の嵌合状態を拡大して示す部分拡大断面図である。
【図８】果菜類の保護カバーの実施形態における他の例を示す正面図である。
【図９】栽培中の水ナスに保護カバーを装着した状態を示す模式図である。
【図１０】保護カバーを装着した状態で出荷される梨を示す状態図である。
【符号の説明】
【００４４】
１      保護カバー
２      略円筒形部分
３      略半球部分
４      開口部
５      軸
６      右側部
７      左側部
８      ヒンジ部
９      嵌合部
【図１】
2008193931.tif 000003
【図２】
2008193931.tif 000004
【図３】
2008193931.tif 000005
【図４】
2008193931.tif 000006
【図５】
2008193931.tif 000007
【図６】
2008193931.tif 000008
【図７】
2008193931.tif 000009
【図８】
2008193931.tif 000010
【図９】
2008193931.tif 000011
【図１０】
2008193931.tif 000012